(57)【特許請求の範囲】
【請求項１】
電子レンジによって加熱調理可能なレンジ用パウチを内部に収納する紙箱であって、紙箱の上面板から側面板と底面板にわたって設けた破断可能な複数の脆弱線と、上面板と底面板にそれぞれ設けられ、脆弱線と脆弱線との間にかけて設けられた折り曲げ可能な罫線と、に囲まれた可動部を有し、側面板に設けた脆弱線には、可動部を可動させた時に、紙箱底面板に係止可能なロック部を形成されることを特徴とするレンジ用パウチ収納箱。
【請求項２】
前記ロック部は、底面板の可動部幅よりも広く左右に飛び出した突起であることを特徴とする請求項１に記載のレンジ用パウチ収納箱。
【請求項３】
上面板と底面板にそれぞれ設けられた可動部の罫線と側面板との境までの間隔が側面板の高さと同じであることを特徴する請求項１または２に記載のレンジ用パウチ収納箱。
【請求項４】
請求項１〜請求項３のいずれかに記載のレンジ用パウチ収納箱に蒸気抜き部が設けられ、内容物が収容されたレンジ用パウチを収納したことを特徴とするレンジ用パウチ収納箱。
【発明の詳細な説明】
【技術分野】
【０００１】
本発明は、レンジ用パウチを紙箱に入れたまま、電子レンジで高周波加熱により調理可能なレンジ用パウチ収納箱に関する。
【背景技術】
【０００２】
調理済みレトルトカレーのように、電子レンジで加熱するだけで賞味することができる食品類は、簡単に食事をとる事ができる為、近年、独身者のみならず、高齢者や、料理に時間をかけられない人々にとって、簡便に食事を取ることができる手段になっている。
このような食品は、カレー、シチュー、酢豚、ミートボール煮、八宝菜など、内部に水分が入っていて、水分が高周波でエネルギー準位をあげる励起現象を起こし、振動や回転をすることによって、周囲の他の成分もそのエネルギーが伝わることで、加熱調理される。加熱された水の一部は、蒸気となって膨張し、包装容器であるパウチを内部から押し広げる力となり、内部圧力が上昇し、丸く膨んでくる。
もし、そのまま、パウチ内部の圧力が上昇し、内部の水分が沸騰するようなことになると、パウチは爆発し、高温になった内容物が飛び散るおそれがある。
そこで、このような事が起きないようパウチには蒸気抜き機能を設けている。しかし、高温の内容物が蒸気抜き部からこぼれるおそれがあった。
【０００３】
このようなことが起きないように、パウチを紙箱に入れて、そのまま電子レンジで加熱できるようにすれば、より安全であり、電子レンジ内へ置く場合にも、はっきり表記し易いなどのメリットもある。
特に、紙箱の断熱性により、取り出す時に安全に取り扱うことができるというメリットもある。
【０００４】
このような電子レンジによるレトルト食品の紙箱に入れたまま行う加熱について、例えば、特許文献１では、電子レンジ用包装箱の天面に帯状の開封用ジッパーが設けられており、ジッパーから開封し、箱の上部側を裏面側に折り曲げることで枕にし、加熱時に内容物が蒸気抜き部に接しないようにしたものである。
しかし、消費者がこのような煩雑な作業を行うのは煩わしい。
【０００５】
また、特許文献２では、電子レンジで加熱を行った時に天面に設けた開封部分が自動で開封する自動開封機能付き電子レンジ用箱入り包装袋が提案されている。
【０００６】
この電子レンジ用箱入り包装袋は、単純に箱の向きを確認して電子レンジに入れ、加熱できるので、手間は無く調理可能である。
しかし、蒸気抜き部が開封部に向かって突出するようになっているので、加熱すると蒸気抜き部が自然と持ち上がる構造になっている為、蒸気抜き部に内容物が接するおそれがない。しかし、蒸気抜き部が自然に持ち上がるような特殊な構造のパウチに限られる問題があった。
【先行技術文献】
【特許文献】
【０００７】
【特許文献１】特許第４１８６７２６号公報
【特許文献２】特許第５０６２４０９号公報
【発明の概要】
【発明が解決しようとする課題】
【０００８】
そこで、調理に手間を掛けず、かつ、パウチ自体に蒸気抜き部を高い位置に持ち上げる機能がないパウチであっても、電子レンジによって加熱調理可能なレンジ用パウチを内部に収納する紙箱を提供することが本発明の課題である。
【課題を解決するための手段】
【０００９】
本発明は、電子レンジによって加熱調理可能なレンジ用パウチを内部に収納する紙箱であって、紙箱の上面板から側面板と底面板にわたって設けた破断可能な複数の脆弱線と、上面板と底面板にそれぞれ設けられ、脆弱線と脆弱線との間にかけて設けられた折り曲げ可能な罫線と、に囲まれた可動部を有し、底面板に形成された開口部には、可動部を可動させた時に側面板に設けられたロック部が係止して紙箱内部側から外側へ凸状に飛び出す枕部が形成されることを特徴とするレンジ用パウチ収納箱である。
【発明の効果】
【００１０】
本発明のレンジ用パウチ収納箱は、単に可動部のロック部を底板面に係止するだけで、レンジ用パウチの蒸気抜き部を上方に向けて傾けて固定する枕部を形成できる。その為、手間をかけずに、内容物がそのまま噴出すことが無いようにして、電子レンジで加熱調理が可能である。
【図面の簡単な説明】
【００１１】
【図１】本発明のレンジ用パウチ収納箱の一例で、未加熱における収納状態と、可動部のロック部を係止して枕部を立てた状態とにおける底面側から見た斜視図である。
【図２】本発明のレンジ用パウチ収納箱の一例で、未加熱において、枕部を立てた収納状態と、可動部のロック部を係止して枕部を立て、開口部が開いた状態とにおける上面側から見た斜視図である。
【図３】本発明のレンジ用パウチ収納箱の一例で、収納箱の展開図である。
【図４】本発明のレンジ用パウチ収納箱の一例で、未加熱における収納状態と、可動部を押して枕部を立てた状態とにおける断面図である。
【図５】本発明のレンジ用パウチ収納箱の一例で、電子レンジでの加熱状態における断面図と、電子レンジ加熱が終了してパウチを取り出す状態における斜視図である。
【図６】本発明のレンジ用パウチ収納箱に入れるレンジ用パウチの例である。
【図７】比較例に用いられた従来のレンジ用パウチ収納箱の展開図の例である。
【発明を実施するための形態】
【００１２】
以下、本発明のレンジ用パウチ収納箱の実施形態例について、図を用いて詳細に説明する。
図１は本発明のレンジ用パウチ収納箱の一例で、図１−１は、未加熱における収納状態の底面側から見た斜視図である。
レンジ用パウチ収納箱１は、扁平の直方体形状で、底面板１２の四辺にはそれぞれ垂直に立った側面板１３が設けられている。
紙箱の上面板１１から側面板１３のひとつの正側面板１３１と底面板１２に連通して、左脆弱線３１と右脆弱線３２が設けられ、それらの脆弱線の上端には上罫線、下端の底面板１２には枕罫線３４が設けられている。これら右脆弱線３２、左脆弱線３１、上罫線、枕罫線３４に囲まれる部分は、脆弱線を切断することにより、可動部３となる。
この為、可動部３は、上罫線によって上面板１１と可動上面板３５が繋がり、枕罫線３４によって底面板１２と可動底面板３６が繋がり、可動側面板３７と可動上面板３１と可動底面板３２とは、それぞれ罫線で回動可能に繋がっている。
また、可動部３の正側面板１３１に設けられた可動側面板３７には、その上面板側左右に、ロック部３７１が設けられている。このロック部３７１は、底面板１２の両脆弱線３１，３２の間の長さ、すなわち、可動部幅よりも広く左右に飛び出した突起で構成されており、可動部３を可動させた時に底面板１２に係止するようになっている。そして、そのロック部を係止することで、底面から外側に凸状に飛び出す枕部が形成可能になっている。
【００１３】
図１−２は、可動部３を押して枕部３０を立てた状態を底面側から見た斜視図である。可動部３の右脆弱線３２と左脆弱線３１は、ミシン目のように部分的に切れ目を入れたり、厚みのいくらかを切断している半抜きなどに切断された線で、可動上面板３５や可動底面板３６、可動側面板３７を押すことによって、容易に切断される。
特に、底面板における右脆弱線３２と左脆弱線３１の長さは、略側面板１３の高さにしてある。その為、可動上面板３５を押し込むと、可動部３の可動側面３７の左右に設けられたロック部３７１が底面板１２に乗る状態となり、可動部３の可動側面板３７と可動底面板３６部分が折り畳まれた状態で底面板１２から飛び出して立ち上がる。
このようにする為、可動底面板３６の可動側面板３７との境界の罫線から枕罫線３４までの間隔は可動側面板３７高さと同じにする必要がある。
【００１４】
図２は、本発明のレンジ用パウチ収納箱の一例で、図２−１は、可動部３を押して枕部３０を立てた状態で、電子レンジで加熱する前の上面側から見た斜視図である。
上面板１１には開口脆弱線１１２が形成されており、開口してレンジ用パウチを取り出すことができるような大きな面積の開口部１１１を形成している。
【００１５】
図２−２は、電子レンジで加熱した状態における上面側から見た斜視図である。
レンジ用パウチは、内容物に含有する水分が高周波加熱により沸騰し、体積を増して膨らむ。膨らむと、レンジ用パウチは球形に近くなろうとして、厚みが大きくなり、収納箱１の高さを大きく越える。その為、開口部１１１の内側をレンジ用パウチが押して、開口脆弱線１１２を破断し、開口する。
開口部１１１の大きさは、上面板面積の３分の１以上、好ましくは２分の１以上で、３分の２以下が好ましい。開口部１１１面積が大きすぎると、収納箱全体が膨らんで、レンジ用パウチの力だけで、開口脆弱線１１２が破断してので、わざわざハサミや手で切らないと開口できない。また、３分の１未満で小さい場合、レンジ用パウチを収納箱から取り出し難い問題がある。
面積以外に、開口部１１１の最大幅を、レンジ用パウチ４の幅からシール部分を除いた幅近傍にまで広げておくことが好ましい。さらにレンジ用パウチの蒸気抜き部は開口部１１１とは反対側に位置するように収容されている。これにより、レンジ用パウチを取り出す時には蒸気抜き部とは反対側をつかむことができる為、取り出す時にやけどをするおそれがない。加えて、開口部の大きさは開口した時に蒸気抜き部が露出しない大きさに形成する。開口時に蒸気抜き部が露出してしまうと、内容物が紙箱の外部に飛び出してしまうおそれがあるためである。
【００１６】
図３は、本発明のレンジ用パウチ収納箱１の一例における展開図である。
上面板１１から右側面板１３４に連通して、開口脆弱線１１２が走り、開口部１１１が形成されている。合わせて、右側面のりしろ１３４０にも脆弱線１３４１が設けられている。
上面板１１から正側面板１３１に連通して、右脆弱線３２と左脆弱線３１が設けられ、
合わせて、底面板１２から正側面板のりしろ１３１０にかけても、連通して、右脆弱線３２と左脆弱線３１が設けられている。
可動部３と上面板１１との境には上罫線３３、可動部３と底面板１２との境には枕罫線３４が設けられ、上罫線３３や枕罫線３４と側面板との境までの間隔が正側面板１３１の高さに合わせて形成されている。
そして、可動側面板３７の上面板側に設けられた可動側面板３７のロック部３７１は、左右に伸びて設けられ、かつ、底面板側は、傾斜や曲線などで逃がしを設けている。
【００１７】
図４は、本発明のレンジ用パウチ収納箱の一例で、図４−１は、未加熱における収納状
態における断面図である。
レンジ用パウチ４が、レンジ用パウチ収納箱１に収納されている。
レンジ用パウチ４は、表裏が軟質のフィルムで、周囲をシールされた袋状のパウチで、高圧力、高温であっても、破損しにくい丈夫なフィルムで構成されている。
レンジ用パウチ４には蒸気抜き部４１があり、内部圧力が一定以上に大きくなった場合、内部の蒸気を逃がすようになっている。
図６に本発明で使用するレンジ用パウチの例を示した。パウチの蒸気抜き部４１は、図６−１や図６−３で示すようなシール部が周囲の融着部よりも内側に突出してあって、そこが内部圧力により周囲よりも先に剥離して開口するものや、図６−２のように、穴があり、その周囲の融着部が、内部圧力で先に剥離するもの、図６−４のように、切り口周囲に外周のシール部４０より低い融着強度のフィルムを融着しているものなど、どのようなものでもかまわない。
なお、図６−１、図６−３は３方シールで作られたパウチで、下辺は折り曲げられているので、シール部はないもので、図６−２、図６−４は４方シールで作られたパウチの例である。
【００１８】
図４−２は、電子レンジ加熱する直前における未加熱状態におけるレンジ用パウチ収納箱の断面図である。
可動部３を押し込み、枕部３０を立てている。枕部３０を立てることによって、レンジ用パウチ４の上部が持ち上がり、内容物５の液面が蒸気抜き部に接しない位置まで下方に移動する。
これによって、内容物が沸騰しても、内容物の汁などが直接外に噴出すことが無いようにしている。
【００１９】
図５は、本発明のレンジ用パウチ収納箱の一例で、図５−１は、電子レンジで加熱している状態における断面図である。
内容物５が沸騰し、水蒸気などが発生している。レンジ用パウチ４は、内部圧力が上昇するので、レンジ用パウチ４は膨らみ、収納箱を押し広げ、開口脆弱線１１２が破断し、開口部１１１が開口する。
さらに、レンジ用パウチ４は一定の内部圧力が上昇すると蒸気抜き部４１から発生した蒸気が抜ける。蒸気は近傍の可動部３の左右や開口部１１１から逃げる。
【００２０】
図５−２は、電子レンジ加熱が終了し、沸騰が収まり、蒸気抜きが終了した後、開口部１１１を大きく開けて、レンジ用パウチ４を取り出している状態を示した断面図である。蒸気抜き部４１は、開口部から離れた向きに入れてある。
【００２１】
本発明に用いられるレンジ用パウチは、通常のレトルト用パウチと同じ構成のフィルムを使用できる。
例えば、外層から、ポリアミド／無水マレイン酸変性ポリエチレン／ポリアミド／ポリエチレン・酢酸ビニル共重合体鹸化物／無水マレイン酸変性ポリエチレン／ポリエチレン、ポリエチレン／ポリエチレンテレフタレート／アルミニウム箔／ポリエチレン／ポリアミド／ポリエチレン、
ポリプロピレン／アルミニウム箔／ポリエチレン／ポリアミド／ポリエチレン、
ポリエチレンテレフタレート／アルミニウム箔／ポリエチレン、
などの構成が考えられる。
アルミニウム箔は香りを逃がさない役目を担い、厚みは１２〜２４μｍにする。酸化珪素蒸着のポリエチレンフィルムなどで代用しても良い。また、ポリエチレンテレフタレートフィルムの厚みは８〜２５μｍにする。
これらのフィルムは、通常のドライラミネーション機、エクストルーダーラミネート機などを使用して、貼り合わせることにより製造することができる。
【００２２】
レンジ用パウチ収納箱に用いられる台紙は内容物の重量によって異なるが、通常、コートボール紙、もしくはカード紙を使用し、紙の厚みである坪量は、２７０ｇ／ｍ２から３５０ｇ／ｍ２の範囲で使用可能である。また、紙の密度を０．６〜１．１ｇ／ｃｍ３の範囲にする。内面あるいは内外面をポリエチレンなどでコートしたものでも良い。
成形に用いるベタのりの材質はライフボンド（登録商標）ＡＶ−６５０Ｙ４を使用することができる。
【００２３】
本発明のレンジ用パウチ収納箱１は一般的なカートニングマシンにセットすれば容易に組立てが可能である。まず、スリーブを起こし、カレーなどの内容物が充填されたレンジ用パウチ４を装填し、側面板を折りこんで、適時ホットメルト接着剤を介在して、自動で組立てることができる。
【実施例】
【００２４】
以下に本発明の具体的実施例について説明する。
【００２５】
＜実施例１＞
レンジ用パウチは、外層として、酸化珪素を蒸着した厚み１２μｍのポリエチレンテレフタレートフィルム。
グラビア印刷で設けられたインキ層。
中間層として、厚み１５μｍナイロンフィルム。
シーラント層として、６０μｍの無延伸ポリプロピレンフィルム。
それらを、ポリウレタン系接着剤を使用してドライラミネーション機によって貼り合せ、積層フィルムを作り、水１２０ｇを充填して、図６−１の形状にシールしてパウチを作成した。
レンジ用パウチ収納箱は、坪量が３２０ｇ／ｍ２のコートボール紙を使用した。
成形に用いるベタのりの材質は、ライフボンド（登録商標）ＡＶ−６５０Ｙ４を使用した。
図３の展開図形状に抜いて、箱を組み立てて、レンジ用パウチを充填した。
【００２６】
＜比較例１＞
レンジ用パウチは、水充填した実施例１と同じレンジ用パウチを使用した。
レンジ用パウチ収納箱は、実施例１と同じく、坪量が３２０ｇ／ｍ２のコートボール紙を使用し、成形に用いるベタのりはライフボンド（登録商標）ＡＶ−６５０Ｙ４を使用した。
箱の形状は、図７の展開図形状に抜いて、箱を組み立てて、レンジ用パウチを充填した。電子レンジで加熱する時には、開口部１１２脆弱線を破断し、正側面板１３１を含む上部を底面板に設けた罫線で１８０度折り曲げて開口し、上部を下に枕部として、レンジ用パウチの蒸気抜き部を上側に傾けて、加熱した。
【００２７】
＜比較例２＞
レンジ用パウチは、水充填した実施例１と同じレンジ用パウチを使用した。
レンジ用パウチ収納箱は、実施例１と同じく、坪量が３２０ｇ／ｍ２のコートボール紙を使用し、成形に用いるベタのりはライフボンド（登録商標）ＡＶ−６５０Ｙ４を使用した。
箱の形状は、特許文献２形状にして、箱を組み立てて、レンジ用パウチを充填した。
【００２８】
＜評価試験内容＞
実施例と比較例について、下記の方法で試験し、比較評価した。
＜簡便性＞
一般主婦５人に３箱ずつ、計１５箱を渡し、電子レンジに入れる準備作業に掛かる時間を測定し、３秒間以内に出来た箱が１３箱以上を○、１０箱以上１２箱までを△、９箱以下を×とした。
＜蒸気抜き部からの内容物の漏れの有無＞
各々５箱ずつ、電子レンジの中に入れて、６００ワットで１００秒間加熱し、レンジ用パウチの蒸気抜き部から内容物が漏れるかどうかの確認を行った。漏れが発生しなかったものを「○」、漏れが発生したものを「×」とした。
＜総合＞
簡便性と、蒸気抜き部からの内容物の漏れの有無との評価結果から、総合的に使用可能か、判断した。
【００２９】
＜評価結果＞
【００３０】
【表１】
0006481348.tif 000002
実施例１は、簡便性は○で、漏れは無く、総合評価は○であった。
比較例１は、簡便性易は△、漏れは無く、総合評価は△であった。
比較例２は、簡便性は○、内容物が大量に漏れてしまった為に、総合評価は×であった。
【００３１】
以上のように、本発明のレンジ用パウチ収納箱のように枕部を設けると、簡単で、早く、手間を書けずに電子レンジで内容物が漏れないレンジ用収納箱を準備できた。
【００３２】
本発明のレンジ用パウチ収納箱１は、以上の様なもので、単純に、可動上面板３５や可動側面板３７などに指を突っ込んで押し込み、枕部３０を立てて、枕部を立てた底面板側を下にして電子レンジで加熱するだけで、道具も要らず、迅速に調理ができ、加熱によって内容物が噴出すなどの問題も無い。
また、加熱直後の熱いパウチは紙箱に入っているので、火傷もしないで、電子レンジから取り出せるなど、メリットは大きい。
【符号の説明】
【００３３】
１・・・・・・・・・レンジ用パウチ収納箱
１１・・・・・・・・上面板
１１１・・・・・・・開口部
１１２・・・・・・・開口脆弱線
１１３・・・・・・・対向位置（可動部の対向位置）
１２・・・・・・・・底面板
１３・・・・・・・・側面板
１３１・・・・・・・正側面板
１３１０・・・・・・正側面のりしろ
１３２・・・・・・・側面板
１３３・・・・・・・左側面板
１３４・・・・・・・右側面板
１３４０・・・・・・右側面のりしろ
３・・・・・・・・・可動部
３０・・・・・・・・枕部
３１・・・・・・・・左脆弱線
３２・・・・・・・・右脆弱線
３３・・・・・・・・上罫線
３４・・・・・・・・枕罫線
３５・・・・・・・・可動上面板
３６・・・・・・・・可動底面板
３７・・・・・・・・可動側面板
３７１・・・・・・・ロック部
３８・・・・・・・・開封口
３９・・・・・・・・罫線
４・・・・・・・・・レンジ用パウチ
４０・・・・・・・・シール
４１・・・・・・・・蒸気抜き部
５・・・・・・・・・内容物
【図１】
0006481348.tif 000003
【図２】
0006481348.tif 000004
【図３】
0006481348.tif 000005
【図４】
0006481348.tif 000006
【図５】
0006481348.tif 000007
【図６】
0006481348.tif 000008
【図７】
0006481348.tif 000009